【手続補正書】
【提出日】平成23年6月28日(2011.6.28)
【手続補正１】
【補正対象書類名】特許請求の範囲
【補正対象項目名】全文
【補正方法】変更
【補正の内容】
【特許請求の範囲】
【請求項１】
情報処理装置と、
形式及び容量が規定された所定方式のパケット通信によって前記情報処理装置へパケット入力データを送信する端末装置と、
前記端末装置に着脱自在に接続される拡張機器と、を備え、
前記端末装置は、ユーザからの操作入力を受ける操作入力手段と、前記操作入力手段から取得した操作入力データをパケット化して前記パケット入力データを生成するパケット生成手段と、前記パケット入力データのデータ領域のうち前記拡張機器のために割り当てる領域を規定する合成シナリオ情報を記憶する記憶手段と、前記接続された拡張機器から拡張入力データを受信する拡張データ受信手段と、を有し、
前記パケット生成手段は、前記拡張機器が前記端末装置に接続されているとき、前記合成シナリオ情報に基づいて前記パケット入力データを生成する
ことを特徴とする通信システム。
【請求項２】
請求項１に記載の通信システムであって、
前記合成シナリオ情報は、前記パケット入力データのデータ領域のうち前記端末装置のために割り当てる第１入力領域と前記拡張機器のために割り当てる第２入力領域とを規定し、
前記パケット生成手段は、前記拡張機器が前記端末装置に接続されているとき、前記合成シナリオ情報が規定する前記第１入力領域に前記操作入力データを配置し、前記合成シナリオ情報が規定する前記第２入力領域に前記拡張入力データに基づくデータを配置して、前記パケット入力データを生成する
ことを特徴とする通信システム。
【請求項３】
請求項２に記載の通信システムであって、
前記パケット生成手段は、前記拡張機器が前記端末装置に接続されているとき、前記第１入力領域に前記操作入力データを配置することにより前記所定方式に対応した基本入力データを生成し、前記第２入力領域に前記拡張入力データを配置することにより前記所定方式に対応した拡張入力データを生成し、生成した基本入力データと拡張入力データとを合成して前記パケット入力データを生成する
ことを特徴とする通信システム。
【請求項４】
請求項１〜請求項３の何れか一項に記載の通信システムであって、
前記合成シナリオ情報は、前記拡張機器に予め記憶され、
前記端末装置は、前記拡張機器が接続されたとき、該拡張機器から合成シナリオ情報を取得する
ことを特徴とする通信システム。
【請求項５】
形式及び容量が規定された所定方式のパケット通信によってパケット出力データを送信する情報処理装置と、
前記情報処理装置から送信されたパケット出力データを受信する端末装置と、
前記端末装置に着脱自在に接続される拡張機器と、を備え、
前記端末装置は、前記受信したパケット出力データを解析処理するパケットデータ処理手段と、前記パケット出力データのデータ領域のうち前記拡張機器のために割り当てる領域を規定する抽出シナリオ情報を記憶する記憶手段と、を有し、
前記拡張機器が接続されているとき、前記パケットデータ処理手段は、前記拡張機器のための拡張出力データを、前記抽出シナリオ情報に基づいて前記パケット出力データから抽出し、抽出した拡張出力データを拡張機器へ送信する
ことを特徴とする通信システム。
【請求項６】
請求項５に記載の通信システムであって、
前記拡張機器には、少なくとも自己の種別を特定可能な拡張機器識別情報が予め記憶され、
前記端末装置は、前記接続された拡張機器から拡張機器識別情報を取得して前記情報処理装置へ送信し、
前記情報処理装置は、前記受信した拡張機器識別情報に応じたパケット出力データを生成する。
ことを特徴とする通信システム。
【請求項７】
請求項５または請求項６に記載の通信システムであって、
前記抽出シナリオ情報は、前記拡張機器に予め記憶され、
前記端末装置は、前記拡張機器が接続されたとき、該拡張機器から抽出シナリオ情報を取得する
ことを特徴とする通信システム。
【請求項８】
形式及び容量が規定された所定方式のパケット通信によって情報処理装置へパケット入力データを送信するとともに、拡張機器が着脱自在に接続される端末装置であって、
ユーザからの操作入力を受ける操作入力手段と、
前記操作入力手段から取得した操作入力データをパケット化して前記パケット入力データを生成するパケット生成手段と、
前記パケット入力データのデータ領域のうち前記拡張機器のために割り当てる領域を規定する合成シナリオ情報を記憶する記憶手段と、
前記接続された拡張機器から拡張入力データを受信する拡張データ受信手段と、を備え、
前記パケット生成手段は、前記拡張機器が前記端末装置に接続されているとき、前記合成シナリオ情報に基づいて前記パケット入力データを生成する
ことを特徴とする端末装置。
【請求項９】
請求項８に記載の端末装置であって、
前記合成シナリオ情報は、前記パケット入力データのデータ領域のうち前記端末装置のために割り当てる第１入力領域と前記拡張機器のために割り当てる第２入力領域とを規定し、
前記パケット生成手段は、前記拡張機器が前記端末装置に接続されているとき、前記合成シナリオ情報が規定する前記第１入力領域に前記操作入力データを配置し、前記合成シナリオ情報が規定する前記第２入力領域に前記拡張入力データに基づくデータを配置して、前記パケット入力データを生成する
ことを特徴とする端末装置。
【請求項１０】
請求項９に記載の端末装置であって、
前記パケット生成手段は、前記拡張機器が前記端末装置に接続されているとき、前記第１入力領域に前記操作入力データを配置することにより前記所定方式に対応した基本入力データを生成し、前記第２入力領域に前記拡張入力データを配置することにより前記所定方式に対応した拡張入力データを生成し、生成した基本入力データと拡張入力データとを合成して前記パケット入力データを生成する
ことを特徴とする端末装置。
【請求項１１】
請求項８〜請求項１１の何れか一項に記載の端末装置であって、
前記合成シナリオ情報は、前記拡張機器に予め記憶され、
前記端末装置は、前記拡張機器が接続されたとき、該拡張機器から合成シナリオ情報を取得する
ことを特徴とする端末装置。
【請求項１２】
形式及び容量が規定された所定方式のパケット通信によって情報処理装置からパケット出力データを受信するとともに、拡張機器が着脱自在に接続される端末装置であって、
前記受信したパケット出力データを解析処理するパケットデータ処理手段と、
前記パケット入力データのデータ領域のうち前記拡張機器のために割り当てる領域を規定する抽出シナリオ情報を記憶する記憶手段と、を備え、
前記拡張機器が接続されているとき、前記パケットデータ処理手段は、前記拡張機器のための拡張出力データを、前記抽出シナリオ情報に基づいて前記パケット出力データから抽出し、抽出した拡張出力データを拡張機器へ送信する
ことを特徴とする端末装置。
【請求項１３】
請求項１２に記載の端末装置であって、
前記抽出シナリオ情報は、前記拡張機器に予め記憶され、
前記端末装置は、前記拡張機器が接続されたとき、該拡張機器から抽出シナリオ情報を取得する
ことを特徴とする端末装置。
【請求項１４】
形式及び容量が規定された所定方式のパケット通信によって情報処理装置へパケット入力データを送信するとともに、拡張機器が着脱自在に接続される端末装置が実行する通信処理方法であって、
ユーザからの操作入力を受けるステップと、
前記拡張機器が前記端末装置に接続されているとき、該拡張機器から拡張入力データを受信するステップと、
前記拡張入力データを受信したとき、前記パケット入力データのデータ領域のうち前記拡張機器のために割り当てる領域を規定する合成シナリオに基づいて前記パケット入力データを生成するステップと、を備えた
ことを特徴とする通信処理方法。
【請求項１５】
形式及び容量が規定された所定方式のパケット通信によって情報処理装置からパケット出力データを受信するとともに、拡張機器が着脱自在に接続される端末装置が実行する通信処理方法であって、
前記拡張機器が接続されているとき、前記パケット出力データのデータ領域のうち前記拡張機器のために割り当てる領域を規定する抽出シナリオに基づいて、前記拡張機器のための拡張出力データを前記パケット出力データから抽出するステップと、
前記抽出した拡張出力データを前記拡張機器へ送信するステップと、を備えた
ことを特徴とする通信処理方法。
【請求項１６】
形式及び容量が規定された所定方式のパケット通信によって情報処理装置へパケット入力データを送信するとともに、拡張機器が着脱自在に接続される端末装置のコンピュータを、
前記拡張機器が前記端末装置に接続されているとき、前記パケット入力データのデータ領域のうち前記拡張機器のために割り当てる領域を規定する合成シナリオに基づいて前記パケット入力データを生成するパケット生成手段として機能させる
ことを特徴とする通信処理プログラム。
【請求項１７】
形式及び容量が規定された所定方式のパケット通信によって情報処理装置からパケット出力データを受信するとともに、拡張機器が着脱自在に接続される端末装置のコンピュータを、
前記拡張機器が接続されているとき、前記パケット出力データのデータ領域のうち前記拡張機器のために割り当てる領域を規定する抽出シナリオに基づいて、前記拡張機器のための拡張出力データを前記パケット出力データから抽出するパケットデータ処理手段として機能させる
ことを特徴とする通信処理プログラム。
【請求項１８】
請求項１６又は請求項１７に記載の通信処理プログラムを記憶したコンピュータ読み取り可能な記憶媒体。
【請求項１９】
形式及び容量が規定された所定方式のパケット通信によって情報処理装置へパケット入力データを送信する端末装置に着脱自在に接続される拡張機器であって、
前記端末装置との接続を介して前記端末装置へ拡張入力データを送信する拡張側送受信手段と、
前記パケット入力データのデータ領域のうち前記拡張機器のために割り当てる領域を規定する情報であって、前記拡張入力データを含む前記パケット入力データを生成するために前記端末装置で用いられる合成シナリオ情報を記憶する拡張側記憶手段と、を備え、
前記拡張側送受信手段は、前記拡張側記憶手段に記憶された合成シナリオ情報を前記端末装置へ送信する
ことを特徴とする拡張機器。
【請求項２０】
形式及び容量が規定された所定方式のパケット通信によって情報処理装置からパケット出力データを受信する端末装置に着脱自在に接続される拡張機器であって、
前記端末装置との接続を介して前記端末装置から拡張出力データを受信する拡張側送受信手段と、
前記パケット出力データのデータ領域のうち前記拡張機器のために割り当てる領域を規定する情報であって、前記パケット出力データから前記拡張出力データを抽出するために前記端末装置で用いられる抽出シナリオ情報を記憶する拡張側記憶手段と、を備え、
前記拡張側送受信手段は、前記拡張側記憶手段に記憶された抽出シナリオ情報を前記端末装置へ送信する
ことを特徴とする拡張機器。
【手続補正２】
【補正対象書類名】明細書
【補正対象項目名】発明の名称
【補正方法】変更
【補正の内容】
【発明の名称】通信システム、端末装置、通信処理方法、通信処理プログラム、通信処理プログラムが記憶された記憶媒体、拡張機器
【手続補正３】
【補正対象書類名】明細書
【補正対象項目名】０００１
【補正方法】変更
【補正の内容】
【０００１】
本発明は、通信システム、端末装置、通信処理方法、通信処理プログラム、通信処理プログラムが記憶された記憶媒体、拡張機器に関する。
【手続補正４】
【補正対象書類名】明細書
【補正対象項目名】０００８
【補正方法】変更
【補正の内容】
【０００８】
端末装置は、操作入力手段とパケット生成手段と記憶手段と拡張データ受信手段とを有する。操作入力手段は、ユーザからの操作入力を受ける。パケット生成手段は、操作入力手段から取得した操作入力データをパケット化してパケット入力データを生成する。記憶手段は、合成シナリオ情報を記憶する。合成シナリオ情報は、パケット入力データのデータ領域のうち拡張機器のために割り当てる領域を規定する。拡張データ受信手段は、接続された拡張機器から拡張入力データを受信する。